(57)【要約】【課題】本発明は、ショットボックスに設けられたショットボタンを見ることなく所望のズーム位置となるショットボタンを他のショットボタンから区別して操作することができるレンズ制御装置を提供することを目的とする。【解決手段】本発明は、ショットボックス１０の各ショットボタン５０Ａ〜５０Ｆに、プラスチックキャップ６０Ａ〜６０Ｆを取り付ける。プラスチックキャップ６０Ａ〜６０Ｆの表面には、サイコロの目の模様の凸部６２が一体形成され、ショットボタン５０Ａ、５０Ｂ、５０Ｃ、５０Ｄ、５０Ｅ、５０Ｆに被せられるプラスチックキャップ６０Ａ、６０Ｂ、６０Ｃ、６０Ｄ、６０Ｅ、６０Ｆには、ショットボタン５０Ａ、５０Ｂ、５０Ｃ、５０Ｄ、５０Ｅ、５０Ｆの番号「１」、「２」、「３」、「４」、「５」、「６」に対応して１個、２個、３個、４個、５個、６個の凸部６２、６２…が形成されている。【選択図】  図２
2005130255.tif 000002
【特許請求の範囲】
【請求項１】
所望の複数のショット位置をメモリに記憶し、複数のショット位置に対応する複数のボタンのうち一つのボタンを操作してショット再生の指示が与えられると、該一つのボタンに対応するショット位置を前記メモリから読み出し、該ショット位置にズーム、フォーカス、アイリス等の所定の制御対象をショット再生するショット機能を備えたレンズ制御装置において、
前記複数のボタン又は複数のボタンの近傍には、ボタンの番号に対応した凸部又は凹部が形成された標識部材がそれぞれ取り付けられていることを特徴とするレンズ制御装置。
【請求項２】
前記複数のボタンの表面には、該ボタンの番号を示す数字が表示され、該ボタンに取り付けられる前記標識部材は、前記数字を透視できるように透明材で作られていることを特徴とする請求項１のレンズ制御装置。
【発明の詳細な説明】
【技術分野】
【０００１】
本発明はレンズ制御装置に係り、特にボタンによるショット再生の指示によりズーム、フォーカス、アイリス等の所定の制御対象を予め設定したショット位置に再生させるショット機能を備えたレンズ制御装置に関する。
【背景技術】
【０００２】
放送用テレビカメラに使用されるレンズ装置のレンズ制御装置として、ショットボックスと称されるショット機能を搭載したコントロールボックスが知られている（例えば、特許文献１）。ショット機能は、所望のズーム位置をショット位置として予めメモリに記憶させることにより、ショットボックスに設けられたショットボタンのオン操作によってズームをそのショット位置に自動再生するものである。また、ショット機能は、ズーム制御のみに実行されるものではなく、フォーカスやアイリス等のレンズ装置の他の制御対象の制御についても実行される。
【０００３】
ところで、特許文献１のレンズ制御装置は、ショットボックスに６個のボタンが設けられ、６個のボタンに対応する６通りのショット位置がメモリに記憶されている。これらのボタンのうち、一つのボタンを操作してショット再生の指示を与えると、その一つのボタンに対応するショット位置が前記メモリから読み出され、そのショット位置にズーム位置が自動再生される。また、ボタンの近傍には、そのボタンの番号を示す１〜６の数字がショットボックスに表示され、カメラマンはその番号を見て所望のショット位置となるボタンを選択し操作する。
【特許文献１】特開２００１−１６０９１２号公報
【発明の開示】
【発明が解決しようとする課題】
【０００４】
しかしながら、前記従来のレンズ制御装置は、ショットボタンを操作する際に、カメラマンはカメラのファインダーから一旦目を離して、所望のショットボタンを探す必要があるので、ズームの切り換えタイミングがずれる場合があるという問題があった。また、夜間や暗いスタジオにて撮影を行う場合には、ショットボタンが見え難いため、ショットボタンが一体何番のショットボタンであるか認識するのが難しく、自動再生操作に支障を与えるという欠点があった。
【０００５】
本発明はこのような事情に鑑みてなされたもので、ボタンを見ることなく所望のズーム位置となるボタンを他のボタンから区別して操作することができるレンズ制御装置を提供することを目的とする。
【課題を解決するための手段】
【０００６】
本発明は、前記目的を達成するために、所望の複数のショット位置をメモリに記憶し、複数のショット位置に対応する複数のボタンのうち一つのボタンを操作してショット再生の指示が与えられると、該一つのボタンに対応するショット位置を前記メモリから読み出し、該ショット位置にズーム、フォーカス、アイリス等の所定の制御対象をショット再生するショット機能を備えたレンズ制御装置において、前記複数のボタン又は複数のボタンの近傍には、ボタンの番号に対応した凸部又は凹部が形成された標識部材がそれぞれ取り付けられていることを特徴とする。
【０００７】
請求項１に記載の発明によれば、複数のボタン又は複数のボタンの近傍に、ボタンの番号に対応した凸部又は凹部が形成された標識部材を取り付けているので、ボタンを見ることなく標識部材を指先で触り、その標識部材に形成された凸部又は凹部を指先で読み取ることにより、その標識部材が取り付けられたボタンが何番のボタンであるかを認識できる。よって、ボタンを見ることなく、所望のショット位置となる番号のボタンを複数のボタンから区別して操作することができる。前記凸部又は凹部は、番号に対応した数だけ形成してもよく、また、その番号の数字形状をかたどったものでもよい。
【０００８】
請求項２に記載の発明によれば、前記複数のボタンの表面には、該ボタンの番号を示す数字が表示され、該ボタンに取り付けられる前記標識部材は、前記数字を透視できるように透明材で作られていることを特徴としている。これにより、標識部材をボタンに取り付けてもボタンの数字を透視できるので、ボタンを見て操作する場合には、標識部材が取り付けられているにもかかわらず、そのボタンが何番のボタンであるのか分かるので便利である。
【発明の効果】
【０００９】
本発明に係るレンズ制御装置によれば、複数のボタン又は複数のボタンの近傍に、ボタンの番号に対応した数の凸部又は凹部が形成された標識部材を取り付けたので、ボタンを見ることなく、所望のショット位置となる番号のボタンを複数のボタンから区別して操作することができる。
【発明を実施するための最良の形態】
【００１０】
以下添付図面に従って本発明に係るレンズ制御装置の好ましい実施の形態について詳説する。
【００１１】
図１は、実施の形態のレンズ制御装置を構成するショットボックス１０を使用したテレビカメラ装置１２の外観図である。同図に示すようにペデスタル１４の雲台１６に支持されたテレビカメラ１８には、サーボ操作式のレンズ装置２０が取り付けられている。雲台１６には、カメラマンが操作する２本の操作棒２２、２４が後方に向けて延設されており、操作棒２２のグリップ付近には、ショットボックス１０がマウンティング部材２６の菊座を介して角度調節可能に取り付けられている。
【００１２】
ショットボックス１０には、レンズ装置２０のフォーカスをマニュアル操作するフォーカスデマンド２８が一体的に設けられ、このフォーカスデマンド２８は、フォーカスノブ３０の回転操作量に応じてレンズ装置２０内のフォーカスレンズ群の移動位置を指令する位置制御信号（フォーカス制御信号）をショットボックス１０を介してレンズ装置２０に伝送する。このフォーカス制御信号に基づいてレンズ装置２０内のフォーカスレンズ群が前後方向に駆動される。
【００１３】
他方、操作棒２４のグリップ付近には、レンズ装置２０のズームスピードを操作するズームデマンド３２が取り付けられ、ズームデマンド３２はズームリング３４の回動方向と回転量に応じて広角側又は望遠側にズーム動作させる速度制御信号（ズーム制御信号）をショットボックス１０を介してレンズ装置２０に出力する。この速度制御信号に基づいてレンズ装置２０内のズームレンズ群が速度制御によって前後方向に駆動される。
【００１４】
ショットボックス１０は、図２の如くフォーカスデマンド２８が一体的に設置されており、そのフォーカスデマンド２８の操作に基づくフォーカス制御信号は、ショットボックス１０の下面にあるレンズ用コネクタ３６から、図２のケーブル３８を介してレンズ装置２０に送信される。また、ショットボックス１０の上面には、ズームデマンド３２からのケーブル４０が接続されるズームデマンド用コネクタ４２が図２の如く設けられている。ズームデマンド３２から出力されたズーム制御信号はケーブル４０を介してこのズームデマンド用コネクタ４２からショットボックス１０に入力され、ショットボックス１０の下面のレンズ用コネクタ３６からケーブル３８を介してレンズ装置２０に送信される。
【００１５】
ショットボックス１０の正面の操作パネル４４には、１〜６番までの数字が印字された矩形状のショットボタン（ボタン）５０Ａ〜５０Ｆが上下一列に配置され、また、メモスイッチ５２、インジケータ５４Ａ〜５４Ｆ及びスピード調整ツマミ５６がそれぞれ所定の位置に設けられている。また、各スイッチには、オンに点灯されてオン状態を表示するＬＥＤが設けられている。
【００１６】
ショットボタン５０Ａ〜５０Ｆは、ズームに関するショット位置の登録（記憶）や再生を指示するもので、これらの６個のショットボタン５０Ａ〜５０Ｆを使用することによって最大で６通りのショット位置を登録し、再生することができるようになっている。なお、ズームに限らずフォーカス等についてもショット位置を登録し、再生できるようにしたものがあるが、本実施の形態ではズームに関するショット位置のみ登録し、再生できるものとする。
【００１７】
メモスイッチ５２は、登録モードと再生モードとを切り替えるもので、メモスイッチ５２を押す毎にこれらのモードが切り替えられる。メモスイッチ５２のＬＥＤが点灯（又は点滅）している状態では登録モードであり、この登録モードにおいて、ショットボタン５０Ａ〜５０Ｆの何れかを押すと、そのショットボタンに対応して、そのときのレンズ装置２０におけるズーム位置がショット位置としてメモリに登録（記憶）される。
【００１８】
一方、メモスイッチ５２のＬＥＤが消灯している状態では再生モードであり、この再生モードにおいて、ショット位置が登録済みのショットボタン５０Ａ〜５０Ｆの何れかを押すと、そのショットボタンに対応して登録（記憶）されているショット位置にズームが再生される。
【００１９】
なお、ショット再生後にズームデマンド３２を操作すれば、ショットは解除され、ショット位置からズームデマンド３２の操作に基づいてレンズ装置２０のズームが移動する。ただし、ショットを解除するスイッチを設け、そのスイッチによってショットが解除されるまでズームデマンド３２の操作を無効とするように設定してもよい。
【００２０】
インジケータ５４Ａ〜５４Ｆは、各ショットボタン５０Ａ〜５０Ｆに対応して、ショットボタン５０Ａ〜５０Ｆの側方に設けられ、各ショットボタン５０Ａ〜５０Ｆに登録されたショット位置を点灯表示するとともに、再生モードにおいてショットボタン５０Ａ〜５０Ｆのうち一つのショットボタンがオンされた場合には、そのショットボタンに対応するズームの現在位置を併せて表示する。また、スピード調整ツマミ５２は、ショット再生の際にズームの再生速度を設定するツマミである。
【００２１】
ところで、ショットボックス１０の各ショットボタン５０Ａ〜５０Ｆには、標識部材である矩形状で透明のプラスチックキャップ６０Ａ〜６０Ｆが、各ショットボタン５０Ａ〜５０Ｆに被せられて取り付けられている。
【００２２】
このプラスチックキャップ６０Ａ〜６０Ｆの表面には、サイコロの目の模様に似た円形状凸部６２が一体形成されており、図３にも示すようにショットボタン５０Ａに被せられるプラスチックキャップ６０Ａには、ショットボタン５０Ａの番号「１」に対応して１個の凸部６２が形成され、ショットボタン５０Ｂに被せられるプラスチックキャップ６０Ｂには、ショットボタン５０Ｂの番号「２」に対応して２個の凸部６２、６２が形成されている。同様に、図２の如く、ショットボタン５０Ｃに被せられるプラスチックキャップ６０Ｃには、ショットボタン５０Ｃの番号「３」に対応して３個の凸部６２、６２…が形成され、ショットボタン５０Ｄに被せられるプラスチックキャップ６０Ｄには、ショットボタン５０Ｄの番号「４」に対応して４個の凸部６２、６２…が形成され、ショットボタン５０Ｅに被せられるプラスチックキャップ６０Ｅには、ショットボタン５０Ｅの番号「５」に対応して５個の凸部６２、６２…が形成され、ショットボタン５０Ｆに被せられるプラスチックキャップ６０Ｆには、ショットボタン５０Ｆの番号「６」に対応して６個の凸部６２、６２…がそれぞれサイコロ状に形成されている。
【００２３】
以上の如く構成されたレンズ制御装置によれば、各ショットボタン５０Ａ〜５０Ｆに、各ショットボタン５０Ａ〜５０Ｆの番号に対応した数の凸部６２が形成されたプラスチックキャップ６０、６０…を取り付けているので、カメラマンは、ショットボタン５０Ａ〜５０Ｆを見ることなく、すなわち、テレビカメラ１８のファインダ４６を見ながらプラスチックキャップ６０、６０…を指先で触り、そのプラスチックキャップ６０に形成された凸部６２の数を指先で読み取ることにより、そのプラスチックキャップ６０が取り付けられたショットボタンが、１〜６番のうち何番のショットボタンであるかを認識できる。よって、ショットボタン５０Ａ〜５０Ｆを見ることなく、所望のショット位置となる番号のショットボタンを複数のショットボタンから区別して操作することができる。
【００２４】
また、プラスチックキャップ６０は透明なので、プラスチックキャップ６０、６０…をショットボタン５０Ａ〜５０Ｆに取り付けてもショットボタン５０Ａ〜５０Ｆの数字「１」〜「６」の数字を透視できる。よって、ショットボタン５０Ａ〜５０Ｆを見て操作する場合には、プラスチックキャップ６０が取り付けられているにもかかわらず、そのショットボタン５０Ａ〜５０Ｆが何番のボタンであるのか分かるので便利である。
【００２５】
図４は、ショットボタン５０Ａ〜５０Ｆの側方に標識部材７０が取り付けられるショットボックス１０が示されている。
【００２６】
この標識部材７０は、一枚のプラスチックプレート７２に、ショットボタン５０Ａ〜５０Ｆの番号に対応した数の凸部７４を一体に形成して構成されたものである。このプラスチックプレート７２は、ショットボタン５０Ａ〜５０Ｆの側方スペースＳに貼着され、ショットボタン５０Ａの側方に１個の凸部７４が位置し、ショットボタン５０Ｂの側方に２個の凸部７４、７４が位置し、ショットボタン５０Ｃの側方に３個の凸部７４、７４、７４が位置し、ショットボタン５０Ｄの側方に「４」を示す凸部７４、７４が位置し、ショットボタン５０Ｅの側方に「５」を示す凸部７４、７４…が位置し、ショットボタン５０Ｆの側方に「６」を示す凸部７４、７４…が位置する。要するに上下方向に形成された一つの凸部７４が「３」を示す、左右方向に形成された凸部７４が「１」を示している。
【００２７】
これにより、カメラマンは、ショットボタン５０Ａ〜５０Ｆを見ることなく、すなわち、テレビカメラ１８のファインダ４６を見ながらプラスチックプレート７２を指先で触り、そのプラスチックプレート７２に形成された凸部７４の数及び形状を指先で読み取ることにより、その凸部７４の側方に位置するショットボタンが何番のショットボタンであるかを認識できる。よって、ショットボタン５０Ａ〜５０Ｆを見ることなく、所望のショット位置となる番号のショットボタンを複数のショットボタンから区別して操作することができる。
【００２８】
実施の形態の標識部材では、ショットボタン５０Ａ〜５０Ｆの番号に対応するものとして凸部を形成したが、凹部でもよい。また、標識部材は、プラスチックに限定されるものではなく、ゴム等の透明又は半透明部材であっても適用できる。更に、凸部や凹部の数及び形状でショットボタン５０Ａ〜５０Ｆの番号を確認させるようにしたが、指で触って判別できるものであればよく、数字の形状をそのまま凸部又は凹部でかたどって認識させるようにしてもよい。
【図面の簡単な説明】
【００２９】
【図１】実施の形態のレンズ制御装置が搭載されたテレビカメラ装置の斜視図
【図２】実施の形態のレンズ制御装置のショットボックスの正面図
【図３】図２に示したショットボックスのショットボタンにプラスチックキャップが取り付けられる状態を示した要部拡大斜視図
【図４】他の実施の形態のショットボックスを示す要部斜視図
【符号の説明】
【００３０】
１０…ショットボックス、１２…テレビカメラ装置、１６…雲台、１８…テレビカメラ、２０…レンズ装置、２２、２４…操作棒、５０Ａ〜５０Ｆ…ショットボタン、５２…メモスイッチ、５４Ａ〜５４Ｆ…インジケータ、６０Ａ〜６０Ｆ…プラスチックキャップ、６２、７４…凸部、７０…標識部材、７２…プラスチックプレート
【図１】
2005130255.tif 000003
【図２】
2005130255.tif 000004
【図３】
2005130255.tif 000005
【図４】
2005130255.tif 000006